(57)【要約】【課題】無線通信端末の利用状態に応じてアンテナのインピーダンスを簡易かつ適切に制御することができる無線通信端末、無線通信方法および制御プログラムを提供する。【解決手段】周波数分割複信方式で通信を行なう無線通信端末１００であって、自端末の現在における呼接続状態を切り替えるとともに現在における呼接続状態を通知する呼処理部１３０と、自端末の現在における利用状態を検出する利用状態検出部１４０と、利用状態および呼接続状態に応じたインピーダンスの設定値を記憶する記憶部１５０と、記憶された設定値に基づき、通知された呼接続状態および検出された利用状態に応じてアンテナに接続されたインピーダンス可変回路を制御するインピーダンス制御部１６０と、を備える。これにより、無線通信端末１００の消費電力および受信感度を改善できる。【選択図】図１
2014087016.tif 000002
【特許請求の範囲】
【請求項１】
周波数分割複信方式で通信を行なう無線通信端末であって、
自端末の現在における呼接続状態を切り替えるとともに前記現在における呼接続状態を通知する呼処理部と、
自端末の現在における利用状態を検出する利用状態検出部と、
呼接続状態および利用状態に応じたインピーダンスの設定値を記憶する記憶部と、
前記記憶された設定値に基づき、前記通知された呼接続状態および検出された利用状態に応じてアンテナに接続されたインピーダンス可変回路を制御するインピーダンス制御部と、を備えることを特徴とする無線通信端末。
【請求項２】
前記利用状態検出部は、前記アンテナに対して人体が近接しているか否かの状態の検出を行なうことを特徴とする請求項１記載の無線通信端末。
【請求項３】
前記利用状態検出部は、前記アンテナに対して人体が近接している状態を検出したとき、さらに自端末が複数の状態のいずれであるかを検出することを特徴とする請求項２記載の無線通信端末。
【請求項４】
前記利用状態検出部は前記アンテナに対して人体が近接している状態を検出したとき、さらに自端末がブラウジング状態または通話状態のいずれであるかを検出することを特徴とする請求項３記載の無線通信端末。
【請求項５】
前記呼処理部は、前記現在における呼接続状態の切り替えをトリガとして前記現在における呼接続状態が送信、受信または送受信同時のいずれの状態であるかを通知することを特徴とする請求項１から請求項４のいずれかに記載の無線通信端末。
【請求項６】
前記利用状態検出部は、自端末の無線品質状態を取得し、前記取得した無線品質状態に基づいて前記現在における利用状態を検出することを特徴とする請求項１から請求項５のいずれかに記載の無線通信端末。
【請求項７】
前記利用状態検出部は、各利用状態に対応する設定値にインピーダンスを切り替えて全状態に対する受信信号感度を前記無線品質状態として取得し、前記取得された受信信号感度が最大になる利用状態を前記現在における利用状態として検出することを特徴とする請求項６記載の無線通信端末。
【請求項８】
前記アンテナは、複数設置され、各々が同一周波数帯に対応しており、
前記記憶部は、アンテナ毎に呼接続状態および利用状態に応じたインピーダンスの設定値を記憶し、
前記インピーダンス制御部は、前記アンテナ毎にインピーダンス可変回路を制御し、
前記インピーダンス可変回路は、複数設置され、各々が前記複数のアンテナ毎に接続され、前記インピーダンス制御部により前記アンテナ毎のインピーダンスの設定値を変化させることを特徴とする請求項１から請求項７のいずれかに記載の無線通信端末。
【請求項９】
前記記憶部は、前記複数のアンテナのうち少なくとも１つのアンテナに対しては呼接続状態および利用状態に合わせて送信特性または受信特性が最良になるインピーダンスの設定値を記憶し、その他のアンテナに対しては利用状態に応じて受信特性が最良になるインピーダンスの設定値を記憶することを特徴とする請求項８記載の無線通信端末。
【請求項１０】
前記利用状態検出部は、前記複数配置されるアンテナ毎の受信信号感度を取得し、前記取得した受信信号感度に基づいて自端末の利用状態を特定することを特徴とする請求項８または請求項９記載の無線通信端末。
【請求項１１】
周波数分割複信方式で通信を行なう無線通信方法であって、
無線通信端末の現在における呼接続状態を切り替えるとともに前記現在における呼接続状態を通知するステップと、
前記無線通信端末の現在における利用状態を検出するステップと、
予め記憶された呼接続状態および利用状態に応じたインピーダンスの設定値に基づき、前記通知された呼接続状態および検出された利用状態に応じて、前記無線通信端末のアンテナに接続されたインピーダンス可変回路を制御するステップと、を含むことを特徴とする無線通信方法。
【請求項１２】
周波数分割複信方式で通信を行なう制御プログラムであって、
無線通信端末の現在における呼接続状態を切り替えるとともに前記現在における呼接続状態を通知する処理と、
前記無線通信端末の現在における利用状態を検出する処理と、
予め記憶された呼接続状態および利用状態に応じたインピーダンスの設定値に基づき、前記通知された呼接続状態および検出された利用状態に応じて、前記無線通信端末のアンテナに接続されたインピーダンス可変回路を制御する処理と、を前記無線通信端末に搭載されたコンピュータに実行させることを特徴とする制御プログラム。
【発明の詳細な説明】
【技術分野】
【０００１】
本発明は、周波数分割複信（FDD: Frequency Division Duplex）に対応しかつ、アンテナのインピーダンスを適応的に制御する技術を搭載する無線通信端末、無線通信方法および制御プログラムに関する。
【背景技術】
【０００２】
携帯電話機に代表される小型の無線通信端末では、ユーザの利用状態によりアンテナの入力インピーダンスが変化するため、インピーダンスの不整合が生じ送受信特性が劣化することが知られている。これに対し、端末のアンテナと送受信ＲＦ回路間にインピーダンスを動的に変化させることができる整合回路を挿入し、周囲の変化に合わせて適応的に整合をとる制御手法や回路構成が多く考案されている。
【０００３】
特許文献１に代表される無線装置では、アンテナ整合回路と送受信回路間に挿入した方向性結合器で不整合による反射電力を検出し、反射損失を最小化するようにアンテナ整合回路のインピーダンスを適応的に制御している。このような方法では、特定の周波数帯域においてインピーダンスを切り替えながら最良の通信状態を得られるように整合回路の定数を決定するため、決定までに時間がかかり、その間の通信状態が不安定になる問題が起こりうる。一方、特許文献２に代表される無線通信端末では、上記の問題を解決しつつ簡易に制御を行なうためにユーザが端末を使用している状態を姿勢状態として検出し、その状態に対応して、予め決定した整合回路の定数を選択している。
【先行技術文献】
【特許文献】
【０００４】
【特許文献１】特開平７−７３５７号公報
【特許文献２】特開２０１０−５６９４４号公報
【発明の概要】
【発明が解決しようとする課題】
【０００５】
図６は、小型アンテナの自由空間および人体近接時のアンテナの放射効率特性の一例を示すグラフである。図６に示すように、帯域が狭い小型アンテナでは送信および受信の両帯域で最良の特性を同時に得ることはできない場合がある。
【０００６】
図７は、ＦＤＤ（Frequency Division Duplex）を適用した場合の、端末および基地局間の呼接続処理を示すシーケンスチャートである。ＦＤＤ方式は、上りリンク・下りリンクで異なる周波数を用いる方式であり、３ＧＰＰ（Third Generation Partnership Project）の標準規格であるＬＴＥ（Long Term Evolution）等に代表される無線通信システムで採用されている。
【０００７】
図７に示すように、端末として送信のみを行なう状態、受信を行なう状態、および送受信を行なう状態が存在する。この場合、上記特許文献に開示されているような手法で自由空間状態や人体近接状態のそれぞれに対応させて事前設定したインピーダンス可変回路を制御したとしても、すべての呼接続状態において常にアンテナを最適な特性にすることはできない。結果として、受信帯域で最良の特性が得られるように回路定数を選択した場合は、送信状態および送受信状態でアンテナの送信特性が劣化する。そして、余剰な送信電力が必要になるばかりでなく、ランダムアクセスやＲＲＣ接続要求の送信回数が増加する等の問題が生じる。
【０００８】
一方、送信帯域で最良の特性を得られるように回路定数を選択した場合は、アンテナの受信感度が劣化する。その結果、データ受信時のスループットの低下やセルサーチの失敗、ランダムアクセス応答、ＲＲＣ接続設定情報の受信エラー等の問題が起こり得る。また、送受信特性のバランスを鑑みて送受信帯域間の周波数において共振が得られるように定数を設定した場合であっても、各呼接続状態において最良の特性を得ることはできない。
【０００９】
本発明は、このような事情に鑑みてなされたものであり、無線通信端末の利用状態に応じてアンテナのインピーダンスを簡易かつ適切に制御することができる無線通信端末、無線通信方法および制御プログラムを提供することを目的とする。
【課題を解決するための手段】
【００１０】
（１）上記の目的を達成するため、本発明の無線通信端末は、周波数分割複信方式で通信を行なう無線通信端末であって、自端末の現在における呼接続状態を切り替えるとともに前記現在における呼接続状態を通知する呼処理部と、自端末の現在における利用状態を検出する利用状態検出部と、呼接続状態および利用状態に応じたインピーダンスの設定値を記憶する記憶部と、前記記憶された設定値に基づき、前記通知された呼接続状態および検出された利用状態に応じてアンテナに接続されたインピーダンス可変回路を制御するインピーダンス制御部と、を備えることを特徴としている。
【００１１】
このようにして、本発明の無線通信端末は、周波数分割複信方式（ＦＤＤ方式）を用いた通信システム上で自端末の利用状態および基地局との呼接続状態に応じてアンテナのインピーダンスを簡易かつ適切に制御することができる。その結果、無線通信端末の消費電力および受信感度を改善できる。
【００１２】
（２）また、本発明の無線通信端末は、前記利用状態検出部が前記アンテナに対して人体が近接しているか否かの状態の検出を行なうことを特徴としている。これにより、人体の近接により適切なインピーダンスが変わってもそれに対応してインピーダンスの値を変えることができる。
【００１３】
（３）また、本発明の無線通信端末は、前記利用状態検出部が、前記アンテナに対して人体が近接している状態を検出したとき、さらに自端末が複数の状態のいずれであるかを検出することを特徴としている。これにより、自端末の状態に応じた制御が可能になる。なお、自端末の状態は、必ずしも特定の種類数に限定されない。
【００１４】
（４）また、本発明の無線通信端末は、前記利用状態検出部が前記アンテナに対して人体が近接している状態を検出したとき、さらに自端末がブラウジング状態または通話状態のいずれであるかを検出することを特徴としている。これにより、ブラウジング状態か通話状態かに応じた詳細な制御が可能になる。
【００１５】
（５）また、本発明の無線通信端末は、前記呼処理部が、前記現在における呼接続状態の切り替えをトリガとして前記現在における呼接続状態が送信、受信または送受信同時のいずれの状態であるかを通知することを特徴としている。
【００１６】
これにより、送信のみを行う場合は送信帯域での特性を、受信のみを行う場合は受信帯域の特性を、送受信を行う場合は双方のバランスがとれた特性を、無線通信端末の利用状態に応じて改善できる。
【００１７】
（６）また、本発明の無線通信端末は、前記利用状態検出部が、自端末の無線品質状態を取得し、前記取得した無線品質状態に基づいて前記現在における利用状態を検出することを特徴としている。これにより、特にセンサー等のデバイスを有していなくても利用状態を検出できる。
【００１８】
（７）また、本発明の無線通信端末は、前記利用状態検出部が、各利用状態に対応する設定値にインピーダンスを切り替えて全状態に対する受信信号感度を前記無線品質状態として取得し、前記取得された受信信号感度が最大になる利用状態を前記現在における利用状態として検出することを特徴としている。これにより、容易に現在における利用状態を検出することができる。
【００１９】
（８）また、本発明の無線通信端末は、前記アンテナが、複数設置され、各々が同一周波数帯に対応しており、前記記憶部が、アンテナ毎に呼接続状態および利用状態に応じたインピーダンスの設定値を記憶し、前記インピーダンス制御部が、前記アンテナ毎にインピーダンス可変回路を制御し、前記インピーダンス可変回路が、複数設置され、各々が前記複数のアンテナ毎に接続され、前記インピーダンス制御部により前記アンテナ毎のインピーダンスの設定値を変化させることを特徴としている。これにより、無線通信端末が複数のアンテナを有する場合においても、無線通信端末の利用状態に応じてアンテナのインピーダンスを簡易かつ適切に制御することができる。
【００２０】
（９）また、本発明の無線通信端末は、前記記憶部が、前記複数のアンテナのうち少なくとも１つのアンテナに対しては呼接続状態および利用状態に合わせて送信特性または受信特性が最良になるインピーダンスの設定値を記憶し、その他のアンテナに対しては利用状態に応じて受信特性が最良になるインピーダンスの設定値を記憶することを特徴としている。これにより、ＬＴＥに代表されるような、上りリンクで使用する送信アンテナ数に比べてク下りリンクで使用する受信アンテナ数が多い通信方式に対応した無線通信端末においても、自端末の利用状態に応じてアンテナのインピーダンスを簡易に制御することができ、また、記憶領域を削減することができる。
【００２１】
（１０）また、本発明の無線通信端末は、前記利用状態検出部が、前記複数配置されるアンテナ毎の受信信号感度を取得し、前記取得した受信信号感度に基づいて自端末の利用状態を特定することを特徴としている。これにより、精度良く利用状態を検出することができる。
【００２２】
（１１）また、本発明の無線通信方法は、周波数分割複信方式で通信を行なう無線通信方法であって、無線通信端末の現在における呼接続状態を切り替えるとともに前記現在における呼接続状態を通知するステップと、前記無線通信端末の現在における利用状態を検出するステップと、予め記憶された呼接続状態および利用状態に応じたインピーダンスの設定値に基づき、前記通知された呼接続状態および検出された利用状態に応じて、前記無線通信端末のアンテナに接続されたインピーダンス可変回路を制御するステップと、を含むことを特徴としている。これにより、無線通信端末の消費電力および受信感度を改善できる。
【００２３】
（１２）また、本発明の制御プログラムは、周波数分割複信方式で通信を行なう制御プログラムであって、無線通信端末の現在における呼接続状態を切り替えるとともに前記現在における呼接続状態を通知する処理と、前記無線通信端末の現在における利用状態を検出する処理と、予め記憶された呼接続状態および利用状態に応じたインピーダンスの設定値に基づき、前記通知された呼接続状態および検出された利用状態に応じて、前記無線通信端末のアンテナに接続されたインピーダンス可変回路を制御する処理と、を前記無線通信端末に搭載されたコンピュータに実行させることを特徴としている。これにより、無線通信端末の消費電力および受信感度を改善できる。
【発明の効果】
【００２４】
本発明によれば、周波数分割複信方式（ＦＤＤ方式）を用いた通信システム上で無線通信端末の利用状態および基地局との呼接続状態に応じてアンテナのインピーダンスを簡易かつ適切に制御することができる。その結果、無線通信端末の消費電力および受信感度を改善できる。
【図面の簡単な説明】
【００２５】
【図１】第１の実施形態に係る無線通信端末の構成を示すブロック図である。
【図２】第１の実施形態に係る無線通信端末の動作を示すフローチャートである。
【図３】第２の実施形態に係る無線通信端末の構成を示すブロック図である。
【図４】利用状態検出処理を示すフローチャートである。
【図５】第３の実施形態に係る無線通信端末の構成を示すブロック図である。
【図６】小型アンテナの自由空間および人体近接時のアンテナの放射効率特性の一例を示すグラフである。
【図７】ＦＤＤを適用した場合の、無線通信端末および基地局間の呼接続処理を示すシーケンスチャートである。
【発明を実施するための形態】
【００２６】
次に、本発明の実施の形態について、図面を参照しながら説明する。説明の理解を容易にするため、各図面において同一の構成要素に対しては同一の参照番号を付し、重複する説明は省略する。
【００２７】
［第１の実施形態］
（無線通信端末の構成）
図１は、無線通信端末１００の構成を示すブロック図である。無線通信端末１００は、周波数分割複信方式で通信を行なう。図１に示すように、無線通信端末１００は、アンテナＡ０、可変容量回路１１２（インピーダンス可変部）、周波数共用器１１３、送信ＲＦ回路１１４、受信ＲＦ回路１１５、ベースバンド信号処理回路１２０、呼処理部１３０、利用状態検出部１４０、記憶部１５０およびインピーダンス制御部１６０を備えている。
【００２８】
アンテナＡ０は、送受信用として可変容量回路１１２に接続されている。可変容量回路１１２（インピーダンス可変回路）は、インピーダンス制御部１６０からの指示により容量設定値（インピーダンス）を切り替える。
【００２９】
周波数共用器１１３は、周波数分割複信方式に対応する共用器である。送信ＲＦ回路１１４は、基地局への情報の送信を行なうためのＲＦ回路である。受信ＲＦ回路１１５は、基地局からの情報の受信を行なうためのＲＦ回路である。ベースバンド信号処理回路１２０は、周波数分割複信方式に対応した信号処理を行なう。
【００３０】
呼処理部１３０は、周波数分割複信方式に対応しており、自端末の現在における呼接続状態を切り替える。それとともに、自端末と基地局との呼接続処理状態が切り替わるタイミングで現在における呼接続状態として、切り替え後の状態が、自端末が送信のみを行なう状態か受信のみを行なう状態か、送受信を同時に行なう状態かをインピーダンス制御部１６０に通知する。
【００３１】
すなわち、呼接続状態の切り替えをトリガとして現在における呼接続状態が送信、受信または送受信同時のいずれの状態であるかを通知する。これに応じて容量設定値を切り替えることにより、送信のみを行なう場合は送信帯域での特性を改善し、受信のみを行なう場合は受信帯域の特性を改善し、送受信を行なう場合は双方のバランスがとれた特性を改善できる。
【００３２】
利用状態検出部１４０は、自端末の現在における利用状態を検出する。利用状態検出部１４０は、アンテナへの人体の近接の有無を検出し、インピーダンス制御部１６０に通知する。これにより、人体の近接に対応してインピーダンスの値を適切に変えることができる。利用状態検出部１４０には、例えば静電容量センサー等のセンサーデバイスが用いられ、得られた静電容量値が閾値を超えるか否かで人体の近接を判断できる。なお、センサーデバイスを用いない検出手法については後述する。
【００３３】
利用状態検出部１４０は、アンテナに対して人体が近接している状態を検出したとき、さらに自端末がブラウジング状態または通話状態のいずれであるかを検出することが好ましい。これにより、ブラウジング状態か通話状態かに応じたさらに詳細な制御が可能になる。
【００３４】
記憶部１５０は、呼接続状態および利用状態に応じた可変容量回路設定値（インピーダンスの設定値）を容量設定値テーブルとして記憶する。可変容量回路設定値は、容量設定値テーブルにより呼接続状態および利用状態に応じて決まる。
【００３５】
たとえば上記のテーブルにより自由空間状態、人体近接時それぞれにおいて送信および受信のそれぞれの帯域で最良になる可変容量値が決まる。また、送受信帯域を同時に使用した際に、送信受信の双方の特性が良好な特性になる可変容量値が決まる。これらの値は事前に取得され、記憶部１５０に記憶されている。
【００３６】
なお、利用状態検出部１４０で検出するアンテナＡ０への人体近接時の状態はブラウジングと通話状態等のより細分化した状態であってもよく、それらを検出し、それぞれの状態に対応した容量値設定テーブルを用いる構成であってもよい。
【００３７】
インピーダンス制御部１６０は、記憶された設定値に基づき、アンテナに接続されたインピーダンス可変回路を制御する。これにより、通知された呼接続状態および検出された利用状態に応じたインピーダンス制御が可能になる。
【００３８】
表１は、利用状態検出部１４０で生成する通知ビット情報の例、表２は、呼処理部１３０で生成する通知ビット情報の例をそれぞれ示している。このような通知ビットにより利用状態や呼接続状態を通知することができる。
【表１】
2014087016.tif 000003
【表２】
2014087016.tif 000004
【００３９】
インピーダンス制御部１６０では、利用状態検出部１４０および呼処理部１３０から通知されたビットから記憶部１５０の容量値設定テーブルに基づき、可変容量回路の容量設定値を決定し、可変容量回路の容量値を制御する。表３は、容量設定値テーブルを示している。
【表３】
2014087016.tif 000005
【００４０】
このようにして、無線通信端末１００は、周波数分割複信方式（ＦＤＤ方式）を用いた通信システム上で自端末の基地局との呼接続状態および利用状態に応じてアンテナのインピーダンスを簡易かつ適切に制御する。その結果、無線通信端末１００の消費電力および受信感度を改善できる。
【００４１】
（無線通信端末の動作）
上記のように構成された無線通信端末１００の動作を説明する。図２は、無線通信端末１００の動作を示すフローチャートである。まず、無線通信端末１００に人体が近接しているか否か等の利用状態を検出する（ステップＳ１）。次に、呼処理部１３０から通知されている現在における呼接続状態を参照する（ステップＳ２）。
【００４２】
そして、現在の個接続状態として自端末が基地局に対して送信状態、受信状態、送受信状態のいずれにあるのかを特定する。記憶されたテーブルを参照して、呼接続状態と利用状態とから容量設定値を特定し（ステップＳ３）、その容量設定値に基づいてインピーダンスを制御する（ステップＳ４）。このようにして、無線通信端末１００の利用状態や個接続状態に応じたインピーダンスを実現し、自端末の消費電力および受信感度を改善できる。
【００４３】
［第２の実施形態］
（無線通信端末の構成）
上記の実施形態では、センサー等のデバイスで利用状態を検出しているが、無線通信端末で取得できる無線品質情報を用いて利用状態を検出してもよい。図３は、無線品質情報を用いて利用状態を検出する無線通信端末２００の構成を示すブロック図である。無線通信端末２００は、利用状態検出部２４０およびインピーダンス制御部２６０を除き無線通信端末１００と同様の構成を有する。
【００４４】
利用状態検出部２４０およびインピーダンス制御部２６０は、各利用状態に対応する設定値に設定容量値（インピーダンス）を切り替えて全状態に対する受信信号感度（ＲＳＳＩ）を取得させる。利用状態検出部２４０は、このようにして全状態に対する受信信号感度（ＲＳＳＩ）を無線品質状態として取得し、取得された受信信号感度が最大になる利用状態を現在における利用状態として検出する。これにより、容易に現在における利用状態を検出することができる。
【００４５】
自端末の無線品質状態を取得し、取得した無線品質状態に基づいて現在における利用状態を検出する。これにより、特にセンサー等のデバイスを有していなくても利用状態を検出できる。
【００４６】
（利用状態検出処理）
本実施形態では、可変容量設定値Ｔ（ｉ,ｊ）は、設定容量値テーブルで表され、利用状態ｉ、呼処理接続状態ｊに対応して特定される。利用状態の検出は、電源投入時およびその後所定の時間間隔で定期的にトリガを発生することで行なう。
【００４７】
図４は、利用状態検出処理を示すフローチャートである。まず、トリガを検出したら、ｊ＝０に初期化する（ステップＴ１）。そして、可変容量回路を設定値ｍ＝Ｔ（０，ｊ）に設定する（ステップＴ２）。
【００４８】
次に、設定値ｊに対する受信信号強度（ＲＳＳＩ）を測定する（ステップＴ３）。そしてｊ＝Ｎ−１か否かを判定する（ステップＴ４）。ｊ＝Ｎ−１でないときにはにｊを１増加させ（ステップＴ５）、ステップＴ２に戻る。ｊ＝Ｎ−１であるときには、測定値が最大になる容量値に対応する利用状態を現在の利用状態として検出する（ステップＴ６）。このようにして人体近接なしの状態、人体近接ブラウジング状態、人体近接通話状態の３状態を検出する。
【００４９】
表４は、利用状態検出時の容量設定値の例を示している。
【表４】
2014087016.tif 000006
【００５０】
表４に示す例では、検出時に用いる容量設定値をｊ＝０から２に順次変更し、容量値Ｔ（０,ｊ）に対するＲＳＳＩを取得する。最大にするｊに対応する利用状態を現在の利用状態として検出し、検出結果をインピーダンス制御部に通知する。
【００５１】
［第３の実施形態］
上記の実施形態では、無線通信端末２００が１本のアンテナを有するが、複数のアンテナを有していてもよい。図５は、複数のアンテナを有する無線通信端末３００の構成を示すブロック図である。無線通信端末３００は、ＬＴＥに対応した典型的な無線通信端末の例である。
【００５２】
無線通信端末３００は、基本的に無線通信端末２００と同様に構成されるが、無線通信端末３００には複数のアンテナＡ０、Ａ１が設置され、各々が同一周波数帯に対応している構成とこれに関連する構成が異なっている。無線通信端末３００は、下りリンクではＭＩＭＯ伝送を２素子アンテナＡ０、Ａ１で受信し、上りリンクでは１素子のアンテナＡ０から送信を行なう。このようにアンテナＡ０は送受信双方を行い、アンテナＡ１は受信のみを行なうように構成されている。
【００５３】
アンテナＡ０は、可変容量回路１１２および周波数共用器１１３を介して送信ＲＦ回路１１４および受信ＲＦ回路１１５に接続されている。アンテナＡ１は可変容量回路３１２を介し、受信ＲＦ回路３１４に接続されている。
【００５４】
呼処理部３３０は、無線通信端末３００と基地局との呼接続処理状態が切り替わるタイミングで切り替え後の呼接続状態をインピーダンス制御部３６０に通知する。呼接続状態には、無線通信端末３００が受信のみを行なう状態、送信のみを行なう状態、および送受信を行なう状態が存在する。
【００５５】
利用状態検出部３４０は、無線通信端末３００の利用状態を検出する。具体的には、アンテナ毎の受信信号感度（ＲＳＳＩ）を取得し、取得した受信信号感度に基づいて自端末の利用状態を特定する。これにより、精度良く利用状態を検出することができる。
【００５６】
検出を行なう際、アンテナＡ０、アンテナＡ１の双方の容量値を切り替えながらＲＳＳＩを最大にする利用状態を検出できる。アンテナＡ１のみの容量値を切り替えながらＲＳＳＩを最大にする利用状態を検出し、検出時の通信品質の安定性を確保しつつ、簡易に検出を行なってもよい。表５は、利用状態検出部３４０で生成する通知ビット情報の例を示している。表６は、利用状態検出時の容量設定値の例を示している。
【表５】
2014087016.tif 000007
【表６】
2014087016.tif 000008
【００５７】
記憶部３５０は、アンテナ毎に呼接続状態および利用状態に応じた可変容量値（インピーダンスの設定値）を記憶している。特に、ＬＴＥに対応した無線通信端末の場合、表６に示すように、記憶部３５０は、アンテナＡ０に対しては呼接続状態および利用状態に応じて特性が最良になる設定値Ｃ０、Ｃ１、Ｃ３、Ｃ４を記憶し、アンテナＡ１に対しては、利用状態に応じて受信周波数帯域での特性が最良になる設定値Ｃ２、Ｃ５を記憶していることが好ましい。
【００５８】
アンテナＡ０では送受信を同時に行なうデータ通信時と送信のみを行なう際の設定容量値を同一とし、送信帯域に合わせた容量設定値を用いることができる。アンテナＡ１は受信のみを行なうアンテナであるため、アンテナＡ１では呼処理に応じた容量値の切り替えは行わず、利用状態のみに応じた設定容量値の切り替えを行なう。
【００５９】
アンテナＡ１は呼処理状態によらず受信帯域に合わせた容量設定値が決定されるため、アンテナＡ０で送受信を行なう際に送信帯域に合わせた容量設定値を用いることで、簡易に送受品質のバランスをとることができる。このようにして、ＬＴＥに対応した無線通信端末３００において、自端末の利用状態に応じてアンテナのインピーダンスを簡易かつ適切に制御することができる。
【００６０】
上記のように、記憶部３５０は、複数のアンテナのうち少なくとも１つのアンテナに対しては呼接続状態および利用状態に合わせて送信特性または受信特性が最良になる容量設定値を記憶し、その他のアンテナに対しては利用状態に応じて受信特性が最良になる容量設定値を記憶するのが好ましい。
【００６１】
インピーダンス制御部３６０は、記憶された設定容量値を参照して、呼接続状態および利用状態から双方のアンテナＡ０、Ａ１の設定容量値を決定し、各アンテナＡ０、Ａ１に接続された可変容量回路１１２、３１２を制御することでアンテナ毎にインピーダンスを制御する。インピーダンス制御部３６０は指示信号を送り双方の容量値を独立に制御できる。
【００６２】
可変容量回路１１２、３１２（インピーダンス可変回路）は、複数設置され、各々が複数のアンテナ毎に接続され、インピーダンス制御を受けてアンテナ毎のインピーダンスを変化させる。これにより、複数のアンテナを有する無線通信端末３００においても、呼接続状態および利用状態に応じてアンテナのインピーダンスを簡易かつ適切に制御することができる。なお、本発明の無線通信端末の動作は、無線通信端末に搭載されたプログラムを実行することで行なわれる。
【符号の説明】
【００６３】
１００  無線通信端末
Ａ０  アンテナ
１１２  可変容量回路
１１３  周波数共用器
１１４  送信ＲＦ回路
１１５  受信ＲＦ回路
１２０  ベースバンド信号処理回路
１３０  呼処理部
１４０  利用状態検出部
１５０  記憶部
１６０  インピーダンス制御部
２００  無線通信端末
２４０  利用状態検出部
２６０  インピーダンス制御部
３００  無線通信端末
Ａ１  アンテナ
３１２  可変容量回路
３１４  受信ＲＦ回路
３３０  呼処理部
３４０  利用状態検出部
３５０  記憶部
３６０  インピーダンス制御部
【図１】
2014087016.tif 000009
【図２】
2014087016.tif 000010
【図３】
2014087016.tif 000011
【図４】
2014087016.tif 000012
【図５】
2014087016.tif 000013
【図６】
2014087016.tif 000014
【図７】
2014087016.tif 000015